(57)【要約】【課題】コップを収容できるうえ、出し入れし易い保冷用コップホルダーを提供することである。【解決手段】有底筒状のホルダー本体３１の内側がコップ２を収容可能な収容部３２となり、ホルダー本体の口部３３には、口縁から下側に食い込む切欠部３４を開口し、口部３３の肉厚を口縁に向かって薄くし、口部３３の外径を口縁に向かって徐々に小さくしてあることを特徴とする保冷用コップホルダー。【選択図】      図１
2010148849.tif 000002
【特許請求の範囲】
【請求項１】
有底筒状のホルダー本体（３１）の内側がコップ（２）を収容可能な収容部（３２）となり、ホルダー本体（３１）の口部（３３）には、口縁から下側に食い込む切欠部（３４）を開口し、口部（３３）の肉厚を口縁に向かって薄くし、口部（３３）の外径を口縁に向かって徐々に小さくしてあることを特徴とする保冷用コップホルダー。
【請求項２】
ホルダー本体（３１）に持手（５１）を備えることを特徴とする請求項１記載の保冷用コップホルダー。
【請求項３】
ホルダー本体（３１）の口部（３３）に設ける切欠部（３４）がＵ字状であり、その下面がホルダー本体（３１）の外側から収容部（３２）に向けて下降傾斜していることを特徴とする請求項１又は２記載の保冷用コップホルダー。
【請求項４】
請求項１、２又は３記載の保冷用コップホルダー（３）と、その保冷用コップホルダー（３）の収容部（３２）に収容されるコップ（２）とから構成され、
コップ（２）は、その下側が出し入れ用の隙間（Ｇ）を介して保冷用コップホルダー（３）の収容部（３２）に収容され、その上側が保冷用コップホルダー（３）の口縁よりも上に突出していることを特徴とするコップセット。
【請求項５】
ホルダー本体収容部（３２）の内周面を下窄まりのテーパー形状とし、他方、ホルダー本体（３１）に収容されるコップ（２）の下側の外周面にはその高さ中間部に、くびれ部（２３）を備えていることを特徴とする請求項４記載のコップセット。
【発明の詳細な説明】
【技術分野】
【０００１】
本発明は、冷たい飲料、たとえばビールが入ったコップを保持する保冷用コップホルダーに関する。また、保冷用コップホルダーと、保冷用コップホルダーに収容されるコップとから構成されるコップセットに関する。
【背景技術】
【０００２】
冷たい飲料、たとえばビールが注がれたコップを持つと、手が冷たくなる。その上、手の熱がコップ越しに伝わってビールが温くなりやすい。
【０００３】
そこで、コップを直接的ではなく、別の物に入れて間接的に持つことに本発明者は思い至った。このようなものとして、保冷用コップホルダーには、コップを収容できる機能が最低限求められる。その上で、コップを出し入れし易い機能があれば、利便性が一層向上する。飲料に使用する保冷用コップホルダーは、使用後には洗浄してから再利用するのが望ましい。したがって、コップの出し入れが容易であれば、洗浄しやすくなり、衛生的でもある。
【０００４】
また、保冷用コップホルダーだけでなく、それに収容されるコップと併せて、上記機能を達成するものであっても良い。
【０００５】
なお、保冷用コップホルダーに関連する技術として、缶ビール等の外側を包むコースターが知られている（特許文献１）。これには、缶ビール等の出し入れに関する明確な記載がない。
【先行技術文献】
【特許文献】
【０００６】
【特許文献１】登録実用新案第３１３２４８０号公報
【発明の概要】
【発明が解決しようとする課題】
【０００７】
本発明は上記実情を考慮して創作されたもので、その解決課題はコップを収容できる上、出し入れし易い保冷用コップホルダーを提供することである。また、コップを出し入れし易いコップセットを提供することである。
【課題を解決するための手段】
【０００８】
請求項１の発明は、有底筒状のホルダー本体の内側がコップを収容可能な収容部となり、ホルダー本体の口部には、口縁から下側に食い込む切欠部を開口し、口部の肉厚を口縁に向かって薄くし、口部の外径を口縁に向かって徐々に小さくしてあることを特徴とする保冷用コップホルダーである。
【０００９】
切欠部で囲まれた空間に指を入れてコップを掴めば、切欠部がない場合に比べて、コップが掴み易い。また、コップを掴もうとして誤ってホルダー本体の口部を掴んだ場合、そのまま口縁よりも上に指を動かせばコップを掴むことができる。
【００１０】
その上、口部の肉厚を口縁に向かって薄くし、口部の外径を口縁に向かって徐々に小さくしてあるので、ホルダー本体の口部を掴んだ場合に、指を上に動かしやすなり、コップを掴みやすくなる。
【００１１】
収容部にはコップを収容するが、収容部内周面とコップ外周面の間に隙間ができるので、その隙間に水を入れて使用することもできる。保冷用コップホルダーが冷たい場合には、隙間の水が凍って、コップのがたつきがなくなり安定して保持されると共に、一風変わった美観を提供できる。
【００１２】
保冷用コップホルダーは、ホルダー本体だけで構成してあっても良いが、ホルダー本体を直接掴むと、手の熱がホルダー本体に伝わり易い。それを避けるには、請求項２の発明のように、ホルダー本体に持手を備えることが望ましい。
【００１３】
切欠部の形状は問わない。保冷用コップホルダーに水を入れ（注ぎ）易くするには、水差しを安定させるために次のようにすることが望ましい。即ち、請求項３の発明のように、口部口縁から下側に食い込む切欠部がＵ字状であり、その下面がホルダー本体の外側から収容部に向けて下降傾斜していることである。
【００１４】
切欠部の個数は問わない。また、ホルダー本体の構造も二重壁構造、又は、むくの構造などであっても良い。コップを掴みやすく、しかも、冷却効果を向上するには次のようにすることが望ましい。即ち、切欠部が口部の二箇所に対称的に形成され、ホルダー本体が内体と外体とから構成され、内体と外体との間に冷媒を封入していることである。
【００１５】
請求項４の発明は、請求項１、２又は３記載の保冷用コップホルダーと、その保冷用コップホルダーの収容部に収容されるコップとから構成され、コップは、その下側が出し入れ用の隙間を介して保冷用コップホルダーの収容部に収容され、その上側が保冷用コップホルダーの口縁よりも上に突出していることを特徴とするコップセットである。
【００１６】
隙間の形状は問わないが、コップの出し入れをし易くするには、次のようにすることが望ましい。即ち、請求項５の発明のように、ホルダー本体収容部の内周面を下窄まりのテーパー形状とし、一方、ホルダー本体に収容されるコップの下側の外周面にはその高さ中間部において、くびれ部を備えていることである。
収容部内周面のテーパー形状は、収容部底面まで段差なく一直線に傾斜している場合だけでなく、収容部下側において段差状に小径になることによって、二段階に傾斜している場合も含まれる。
【発明の効果】
【００１７】
本発明の請求項１の保冷用コップホルダーは、ホルダー本体の口部に口縁から下側に食い込む切欠部を開口しているので、切欠部で囲まれた空間に指を入れて、ホルダー本体の内側に収容されたコップを掴むことができる。したがって、コップの出し入れがし易い。
【００１８】
また、ホルダー本体の口部を掴んだ場合、口部の特異な形状によってそのまま口部に沿って上に指を動かしやすく、簡単にコップを掴むことができる。したがって、一段とコップを取り出し易い。口部の特異な形状とは、口部の肉厚を口縁に向かって薄くし、口部の外径を口縁に向かって徐々に小さくすることである。
【００１９】
請求項２の保冷用コップホルダーは、持手によってホルダー本体に直接手の熱が伝わらないようにしている。
【００２０】
また、請求項３の保冷用コップホルダーは、切欠部がＵ字状であるので、たとえば水差しを切欠部に当てて位置決めすることができる。しかも、切欠部の下面がホルダー本体の外側から収容部に向けて下降傾斜しているので、水差しを傾けやすく、したがって、ホルダー本体の収容部に水を入れ易い。
【００２１】
本発明の請求項４のコップセットは、コップの下側が保冷用コップホルダーの収容部に収容され、コップの上側が保冷用コップホルダーの口縁よりも上に突出しているので、コップを掴み易い。また、コップの下側が出し入れ用の隙間を介して保冷用コップホルダーの収容部に収容されているので、隙間とコップの掴み易さとの相乗作用により、コップの出し入れがし易くなる。
【００２２】
また、請求項５のコップセットは、ホルダー本体収容部の内周面を下窄まりのテーパー形状としてあるので、コップの出し入れもし易い。しかも、ホルダー本体に収容されるコップの下側の外周面にはその高さ中間部において、くびれ部を備えているので、くびれ部の外周側に広い隙間が形成され、断熱効果が向上する。
【図面の簡単な説明】
【００２３】
【図１】コップセットを示す斜視図である。
【図２】（イ）（ロ）（ハ）（ニ）図は、コップセットの正面図、縦断面図、及び左側面図、コップの直径と切欠部の横幅の関係を示す断面図である。
【図３】保冷用コップホルダーの平面図である。
【図４】別例のコップセットを示す断面図である。
【図５】別例の保冷用コップホルダーを示す縦断面図である。
【発明を実施するための形態】
【００２４】
本発明のコップセット１は図１〜図３に示すように、コップ２と、そのコップ２を内側に収容する保冷用コップホルダー３とから構成してある。以下、各構成要素を順に説明する。
【００２５】
コップ２は、円筒状の胴部２１と、胴部２１の底を塞ぐ底部２２とから構成されている。胴部２１は、下窄まりとなるテーパー形状をしている。一方、底部２２は、ほぼ水平な形状である。また、底部２２は、胴部２１よりも肉厚を厚くし、コップ２の重量バランスを上側より底側が重くなるようにしてある。なお、コップ２の原料は問わないが、ガラスを用いることが口当たりの良さとしては望ましい。
【００２６】
保冷用コップホルダー３は、ジョッキ状である。つまり、有底筒状のホルダー本体３１と、ホルダー本体３１から外側に突出する持手５１とから構成されている。なお、保冷用コップホルダー３も原料は問わないが、一例としては硬質な合成樹脂を用いる。
【００２７】
ホルダー本体３１の内側は収容部３２であって、コップ２が位置決めして収容される。収容部３２には、コップ２の下側であって全高の約２／３が収容される。一方、コップ２の上側であって全高の約１／３が収容部３２から上方に突出する。その突出長さｔは、２５ｍｍ以上とし、飲む際に人の唇がコップ２にのみ触れ、ホルダー本体３１に触れないようにしてある。
【００２８】
ホルダー本体３１の上部は口部３３であって、その外径が下側から口縁（上端）に向かって徐々に小さくなっている。そして、口部３３の外周面は、円弧状に湾曲している。また、口部３３の肉厚、つまり、口部３３の内周面と外周面との間隔は、下側から口縁に向かうにつれて薄くなっている。
【００２９】
ホルダー本体３１の口部３３には、開口する切欠部３４を備えている。切欠部３４は、口部３３の二箇所に対称的に形成されている。持手５１が側方に突出する状態は通常の使用状態である。この状態で真正面に位置する切欠部３４は、使用者の注意を引き易くなっている。切欠部３４の形状は、ホルダー本体３１の口縁から下側に食い込んでおり、図示の例ではＵ字状に凹んだ形状であって、横幅（開口幅）の広いＵ字状に形成してある。切欠部３４の横幅は最低限指が収まる大きさにしておき、切欠部３４を利用してコップ２を掴めるようにする。図示の例では平面視して、ホルダー本体３１の肉厚中間部を基準として、円周全域のうち約９０度の範囲に切欠部３４を設けてあるが、コップ２を掴み易くするには６０度〜１２０度の範囲であることが望ましい。なお、切欠部３４の下面は、水平にしてある。
【００３０】
続いて、切欠部３４とコップ２の関係について述べる。切欠部３４の位置では、コップ２に文字、図形などの標章Ｔ１が付されている。切欠部３４の形状がもたらす注意喚起機能によって、標章Ｔ１が使用者の目に留まりやすくなっている。切欠部３４の下側では、ホルダー本体３１にも標章Ｔ２が付されている。このように切欠部３４を中心にして上下に標章Ｔ１、Ｔ２が付与されているので、コップセット１としての統一感をより向上している。
【００３１】
また、切欠部３４の上部の横幅Ｗは、コップ２の底の直径Ｒよりも大きく形成してある。このようにすると、コップ２をホルダー本体３１に入れる際に、コップ２の底がホルダー本体収容部３２の真上からずれて切欠部３４に当たった場合、底が収容部３２の真上にくるようにコップ２を動かし易い。
【００３２】
次に、ホルダー本体３１とコップ２との出し入れ用の構造を説明する。コップ２の下側がホルダー本体３１に収容された状態では、コップ胴部２１の外周面とホルダー本体収容部３２の内周面との間には、出し入れ用の隙間Ｇが設けられる。隙間Ｇは上に向かうにつれて徐々に広くなっている。収容部３２の底では隙間Ｇが殆どなく、コップ底部２２の外周がホルダー本体収容部３２の内周面に当接して位置決めされる。このような隙間Ｇを形成するために、コップ胴部２１の外周面は下窄まりとなるテーパー形状をしている。一方、収容部３２の内周面も、コップ２の外周面に対応するテーパー形状であって、テーパーの傾斜角度をコップ胴部２１の外周面よりも緩やかにしてある。
【００３３】
ホルダー本体３１をさらに詳細に説明する。ホルダー本体３１は、二重壁構造であって、容器状の内体３５と、内体３５を外側（ここでは半径方向外方及び下方）から囲む外体３６とを有するものである。そして、内体３５と外体３６の間に断熱空間３７を形成し、断熱空間３７に冷媒３８を封入するものである。以下、各構成要素について順番に詳述する。
【００３４】
内体３５は、有底円筒形の内壁部３５ａと、内壁部３５ａの上端から外側に張り出して垂下する口壁部３５ｂとから構成される。切欠部３４のない位置では、内壁部３５ａと口壁部３５ｂの間には断熱空間３７の上部が形成される。一方、切欠部３４の位置では、内壁部３５ａの上端は切欠部３４の形状に合わせてＵ字状に凹んでおり、口壁部３５ｂはＵ字状に凹んだ形態のまま外周方向に突出している。
【００３５】
外体３６は有底円筒形であって、その底部には円周方向全域に亘って支持鍔３６ａが末広がりとなる笠状に形成されている。保冷用コップホルダー３がテーブル上で安定して立つことに、支持鍔３６ａが役立つ。また、外体３６の外周面の上部と下部にはコ字状の持手５１の両端部が連続している。
【００３６】
外体３６の底部には抜穴３６ｂが設けてある。抜穴３６ｂから冷媒３８を断熱空間３７に注入し、栓３９を抜穴３６ｂに嵌めて封入する。栓３９を超音波溶着等して外体３６の底部に一体化する。
【００３７】
冷媒３８は、半透明で、例えば塩分含有量が全体の重量比で１５％程度の配合割合のものを用い、その塩分含有量により、−２０℃〜−５℃の範囲で凍結又は解凍する性質を有するものを用いる。また、塩分となる材料として、塩化カリウムを用い、全体の重量比で１０〜２０％の配合割合とすることにより、ほぼ確実に冷媒全体が凍結するものと推測される。また、Ｃ．Ｍ．Ｃ（カルボキシメチルセルロース）は、白色〜類白色の粉末であり、その性状は温水だけでなく冷水にも溶解し、溶解時には増粘性を呈するものである。このＣ．Ｍ．Ｃを冷媒の成分として全体の重量比で１．０〜２．０％で配合することにより、冷媒３８が粘結性を呈する。なお、冷媒３８は、透明なものでも良く、この場合、Ｃ．Ｍ．Ｃを冷媒３８の成分には用いない。
【００３８】
内体３５と外体３６の一体化構造は、次の通りである。内体３５は、口壁部３５ｂの下端内周部には円周方向の全域に亘って係止壁３５ｃを垂下している。係止壁３５ｃの外側に外体３６の上端部が嵌り込んで位置決めされる。このとき、外体３６の上端が内体３５の口壁部下端に当接する。この当接箇所を超音波溶着等して内体３５と外体３６を一体化する。
【００３９】
上述のコップセット１は、保冷用コップホルダー３を予め冷蔵庫で冷やし、冷媒３８を凍結させてから使用することが望ましい。このようにしてから保冷用コップホルダー３にコップ２を収容すれば、コップ２とホルダー本体３１との隙間Ｇが断熱性を発揮して長時間に亘り保冷効果を維持する。また、隙間Ｇに水を入れれば、保冷用コップホルダー３の熱で水が凍結して氷になり、コップ２が安定して保持される。しかも、保冷用コップホルダー３が透明であれば、氷が透けて見えて、一風変わった美観を提供できる。なお、隙間Ｇに水を入れなくても、保冷用コップホルダー３及びコップ２を予め冷蔵庫で冷やしておけば、使用時にこれらの外側には結露水が自然とできる。したがって、隙間Ｇに結露水がたまって凍結して氷となり、その結果、コップ２が安定して保持されることもある。
【００４０】
また、保冷用コップホルダー３に収容されたコップ２にビールを注いだ場合、そのまま保冷用コップホルダー３の持手５１を掴んでビールを飲んでも良いし、保冷用コップホルダー３からコップ２を取り出してビールを飲んでも良い。なお、コップ２が空になった場合、ビールの入った別のコップ２に交換して、保冷用コップホルダー３をそのまま利用することもできる。
【００４１】
また、図４は、別例のコップセット１を示すものである。このコップセット１に用いるコップ２は、ホルダー本体３１に収容される下側の高さ中間部において、内側に凹むくびれ部２３を有している。くびれ部２３は、縦断面くの字状に湾曲している。一方、ホルダー本体収容部３２の内周面は前述したように下窄まりのテーパー形状である。従って、コップ２の外周面とホルダー本体収容部３２の内周面との間の隙間Ｇに水を入れ、保冷用コップホルダー３の熱で水が凍結して氷になった場合に、コップ２が抜け難くなる。隙間Ｇは、くびれ部２３に対してその上下２箇所が狭くなっており、コップ２をホルダー本体３１の中で位置決めして収容している。また、隙間Ｇは、くびれ部２３の位置において幅広い空間である上に、その上側が狭くなっているので、外気が幅広い空間に入り込み難く、高い断熱効果が得られる。
【００４２】
図５は、別例の保冷用コップホルダー３を示すものである。この保冷用コップホルダー３は、底部２２の外径が異なるコップ２を位置決めして収容することのできるものである。具体的には、保冷用コップホルダー３は、収容部３２の下側内面に、段差状に径が狭くなる段部３２ａを設けたものである。このように収容部３２の内径を下側に向かって段階的に狭く形成することにより、コップ底部２２の外径が異なる２種類のコップ２を好みに応じて、収容部３２にそれぞれ位置決めして収容することができる。なお、この例の保冷用コップホルダー３は、持手のないもの、つまりホルダー本体３１だけで構成したものである。
【００４３】
本発明は上記実施形態に限定されない。たとえば、保冷用コップホルダー３のホルダー本体３１は、断熱空間３７に冷媒３８を封入する二重壁構造に限らず、冷媒３８を封入しない二重壁構造であっても良い。また、ホルダー本体３１は二重壁構造とするに限らず、むくの構造であっても良い。さらに、保冷用コップホルダー３の原料は、合成樹脂以外の原料、たとえばガラス、石等であっても良い。なお、コップ２及び保冷用コップホルダー３を、いずれも、すりガラス状に見えるような原料で製造すると、全体として重厚な美観を提供できる。
【００４４】
また、切欠部３４の下面は、水平に限らず、ホルダー本体３１の外側から収容部３２に向けて下降傾斜しているものでもよい。
【符号の説明】
【００４５】
１コップセット、２コップ、２１胴部、２２底部、２３くびれ部
３保冷用コップホルダー、３１ホルダー本体、３２収容部、３２ａ段部、３３口部、
３４切欠部、
３５内体、３５ａ内壁部、３５ｂ口壁部、３５ｃ係止壁、
３６外体、３６ａ支持鍔、３６ｂ抜穴、
３７断熱空間、３８冷媒、３９栓、
５１持手、
Ｇ隙間、Ｗ横幅、Ｒ直径、Ｔ１標章、Ｔ２標章
【図１】
2010148849.tif 000003
【図２】
2010148849.tif 000004
【図３】
2010148849.tif 000005
【図４】
2010148849.tif 000006
【図５】
2010148849.tif 000007